【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
電圧測定装置を較正するように動作する較正システムであって、前記電圧測定装置は、動作中に、基準電流信号を生成し、電圧測定装置センサーを介して、試験中の導体内の前記基準電流信号を感知し、前記較正システムは、
較正導体内に較正電圧を選択的に出力するように動作する較正電圧源と、
前記較正電圧源及び前記電圧測定装置に通信可能に結合自在な制御回路と、を備え、
前記制御回路は、動作中に、複数の較正電圧の各較正電圧について、
前記較正電圧源を制御して前記較正導体内に前記較正電圧を出力することと、
前記較正電圧と関連付けられた複数の較正点であって、前記較正点の各々が、
前記較正電圧源が前記較正導体内に前記較正電圧を出力するとき、前記電圧測定装置センサーを介して、前記電圧測定装置によって測定される前記基準電流信号を示す、前記電圧測定装置から取得された基準電流信号データ点と、
前記基準電流信号データ点に少なくとも部分的に基づいて前記電圧測定装置によって判定される、前記電圧測定装置から取得された測定された出力電圧データ点に対する前記較正電圧の比を示す較正係数と、を含む較正点を取得することと、
前記電圧測定装置のための較正データであって、前記電圧測定装置によって測定された前記基準電流信号及び前記複数の較正電圧に依存する較正データを前記複数の較正点に基づいて判定することと、
前記電圧測定装置の以降の動作中の前記電圧測定装置による使用のために、前記電圧測定装置と関連付けられた少なくとも１つの非一時的プロセッサ可読記憶媒体上に前記較正データを記憶することと、を行う、較正システム。
【請求項２】
前記電圧測定装置は、非接触測定装置であり、前記複数の較正電圧の各々について、前記複数の較正点は、前記電圧測定装置の前記電圧測定装置センサーと前記較正導体との間の物理的距離を選択的に調節することによって取得される基準電流信号データ点の範囲を含む、請求項１に記載の較正システム。
【請求項３】
前記較正データは、動作中に、前記電圧測定装置が、バイリニア補間を使用して特定の基準電流信号測定値及び特定の出力電圧測定値に対する較正係数を判定することを可能にする、ルックアップテーブルを含む、請求項１に記載の較正システム。
【請求項４】
前記較正データは、複数の数式についての係数を含み、前記複数の数式の各々は、前記複数の較正電圧のうちのそれぞれの較正電圧に対応している、請求項１に記載の較正システム。
【請求項５】
前記複数の較正電圧の各々について、前記制御回路は、前記複数の較正点を、数式によって定義される曲線に適合させることによって前記較正データを判定する、請求項１に記載の較正システム。
【請求項６】
前記複数の較正電圧の各々について、前記数式は、ｙ＝ａ／（ｘ−ｂ）ｃ＋ｄであり、式中、ｙは、前記較正電圧であり、ｘは、前記基準電流信号であり、ａ、ｂ、ｃ、及びｄは、前記それぞれの較正電圧と関連付けられた前記複数の較正点の解析によって判定された係数である、請求項５に記載の較正システム。
【請求項７】
前記複数の較正電圧の各々についての数式の前記係数ａ、ｂ、及びｃの値は、それぞれ、前記複数の較正電圧のその他の較正電圧のそれぞれの数式についての前記係数ａ、ｂ、及びｃの値に等しい、請求項６に記載の較正システム。
【請求項８】
前記複数の較正電圧は、少なくとも３つの較正電圧を含む、請求項１に記載の較正システム。
【請求項９】
前記電圧測定装置は、第１のセンサー部分及び第２のセンサー部分を備えるセンサーアレイを備え、前記第１のセンサー部分が、前記第２のセンサー部分とインターリーブされ、前記第１のセンサー部分及び前記第２のセンサー部分の各々は、制御可能なスイッチを介して、信号電流増幅器及び基準電流増幅器に選択的に結合可能である、請求項１に記載の較正システム。
【請求項１０】
前記電圧測定装置は、複数のセンサー素子を備えるセンサーアレイを備え、前記センサー素子の各々は、処理回路の入力ノード及び導電ガードノードに選択的に結合可能である、請求項１に記載の較正システム。
【請求項１１】
電圧測定装置を較正するように動作する較正システムであって、前記電圧測定装置が、複数の電圧測定装置センサーを備えるとともに、動作中に、前記電圧測定装置は、少なくとも１つの基準電流信号を生成し、前記複数の電圧測定装置センサーを介して、試験中の導体内の少なくとも１つの基準電流信号を感知し、前記較正システムは、
較正導体内に較正電圧を選択的に出力するように動作する較正電圧源と、
前記較正電圧源及び前記電圧測定装置に通信可能に結合自在な制御回路と、を備え、
前記制御回路は、動作中に、
前記較正電圧源を制御して前記較正導体内に較正電圧を出力することと、
前記較正電圧と関連付けられた複数の較正点を取得することであって、前記較正点の各々が、
前記較正電圧源が前記較正導体内で前記較正電圧を出力するとき、前記複数の電圧測定装置センサーを介して、前記電圧測定装置によって測定される前記基準電流信号を示す、前記電圧測定装置から取得された複数の基準電流信号データ点と、
前記複数の基準電流信号データ点に少なくとも部分的に基づいて前記電圧測定装置によって判定される、前記電圧測定装置から取得された測定された出力電圧データ点に対する前記較正電圧の比を示す較正係数と、を含む較正点を取得することと、
前記電圧測定装置のための較正データであって、前記複数の電圧測定装置センサーを介して、前記電圧測定装置によって測定された前記基準電流信号に依存する較正データを前記複数の較正点に基づいて判定することと、
前記電圧測定装置の以降の動作中の前記電圧測定装置による使用のために、前記電圧測定装置と関連付けられた少なくとも１つの非一時的プロセッサ可読記憶媒体上に前記較正データを記憶することと、を行う、較正システム。
【請求項１２】
前記電圧測定装置は、非接触測定装置であり、前記較正点のうちの少なくともいくつかは、前記電圧測定装置と前記較正導体との間の物理的距離を選択的に調節することによって取得される、請求項１１に記載の較正システム。
【請求項１３】
前記較正データは、動作中に、前記電圧測定装置が、内挿補間を使用して特定の複数の基準電流信号測定値に対する較正係数を判定することを可能にするルックアップテーブルを含む、請求項１１に記載の較正システム。
【請求項１４】
前記較正データは、少なくとも１つの数式についての係数を含む、請求項１１に記載の較正システム。
【請求項１５】
前記制御回路は、前記較正点を数式によって定義される曲線に適合させることによって前記較正データを判定する、請求項１１に記載の較正システム。
【請求項１６】
各較正点についての前記複数の基準電流信号データ点は、少なくとも３つの基準電流信号データ点を含む、請求項１１に記載の較正システム。
【請求項１７】
電圧測定装置を較正するように較正システムを動作させる方法であって、前記電圧測定装置は、動作中に、基準電流信号を生成し、電圧測定装置センサーを介して、試験中の導体内で前記基準電流信号を感知し、前記方法は、
複数の較正電圧の各較正電圧について、
較正電圧源を制御して較正導体内に前記較正電圧を出力することと、
前記較正電圧と関連付けられた複数の較正点であって、前記較正点の各々が、
前記較正電圧源が前記較正導体内に前記較正電圧を出力するとき、前記電圧測定装置センサーを介して、前記電圧測定装置によって測定される前記基準電流信号を示す、前記電圧測定装置から取得された基準電流信号データ点と、
前記基準電流信号データ点に少なくとも部分的に基づいて前記電圧測定装置によって判定される、前記電圧測定装置から取得された測定された出力電圧データ点に対する前記較正電圧の比を示す較正係数と、を含む較正点を取得することと、
前記電圧測定装置のための較正データであって、前記電圧測定装置によって測定された前記基準電流信号及び前記複数の較正電圧に依存する較正データを前記複数の較正点に基づいて判定することと、
前記電圧測定装置の以降の動作中の前記電圧測定装置による使用のために、前記電圧測定装置と関連付けられた少なくとも１つの非一時的プロセッサ可読記憶媒体上に前記較正データを記憶することと、を含む、方法。
【請求項１８】
較正データを判定することは、動作中に、前記電圧測定装置が、バイリニア補間を使用して特定の基準電流信号測定値及び特定の出力電圧測定値に対する較正係数を判定することを可能にする、ルックアップテーブルを生成することを含む、請求項１７に記載の方法。
【請求項１９】
較正データを判定することは、複数の数式についての係数を判定することを含み、前記複数の数式の各々は、前記複数の較正電圧のうちのそれぞれの較正電圧に対応している、請求項１７に記載の方法。
【請求項２０】
較正データを判定することは、前記複数の較正電圧の各々について、前記複数の較正点を数式によって定義される曲線に適合させることを含む、請求項１７に記載の方法。
【請求項２１】
前記複数の較正電圧が少なくとも３つの較正電圧を含み、前記較正電圧源が制御されて前記少なくとも３つの較正電圧を出力する、請求項１７に記載の方法。
【請求項２２】
前記電圧測定装置は、非接触測定装置であり、前記複数の較正電圧の各々について、複数の較正点を取得することは、前記電圧測定装置の前記電圧測定装置センサーと前記較正導体との間の物理的距離を選択的に調節することを含む、請求項１７に記載の方法。
【手続補正２】
【補正対象書類名】明細書
【補正対象項目名】０００５
【補正方法】変更
【補正の内容】
【０００５】
電圧測定装置を較正するように動作する較正システムにおいて、電圧測定装置は、動作中に、基準電流信号を生成し、電圧測定装置センサーを介して、試験中の導体内の基準電流信号を感知し、較正システムは、較正導体内に較正電圧を選択的に出力するように動作する較正電圧源と、較正電圧源及び電圧測定装置に通信可能に結合自在な制御回路と、を含むとして要約され得、制御回路は、動作中に、複数の較正電圧の各較正電圧について、較正電圧源を制御して較正導体内に較正電圧を出力することと、較正電圧と関連付けられた複数の較正点であって、較正点の各々が、較正電圧源が較正導体内に較正電圧を出力するとき、電圧測定装置センサーを介して、電圧測定装置によって測定される基準電流信号を示す、電圧測定装置から取得された基準電流信号データ点と、基準電流信号データ点に少なくとも部分的に基づいて電圧測定装置によって判定される、電圧測定装置から取得された測定された出力電圧データ点に対する較正電圧の比を示す較正係数と、を含む較正点を取得することと、電圧測定装置のための較正データであって、電圧測定装置によって測定された基準電流信号及び複数の較正電圧に依存する較正データを複数の較正点に基づいて判定することと、電圧測定装置の以降の動作中の電圧測定装置による使用のために、電圧測定装置と関連付けられた少なくとも１つの非一時的プロセッサ可読記憶媒体上に較正データを記憶することと、を行う。
【手続補正３】
【補正対象書類名】明細書
【補正対象項目名】０００６
【補正方法】変更
【補正の内容】
【０００６】
電圧測定装置は、非接触測定装置であり得、複数の較正電圧の各々について、複数の較正点は、電圧測定装置の電圧測定装置センサーと較正導体との間の物理的距離を選択的に調節することによって取得される基準電流信号データ点の範囲を含み得る。較正データは、動作中に、電圧測定装置が、バイリニア補間を使用して特定の基準電流信号測定値及び特定の出力電圧測定値に対する較正係数を判定することを可能にする、ルックアップテーブルを含み得る。較正データは、複数の数式についての係数を含み得、複数の数式の各々は、複数の較正電圧のうちのそれぞれの較正電圧に対応している。複数の較正電圧の各々について、制御回路は、複数の較正点を、数式によって定義される曲線に適合させることによって較正データを判定し得る。複数の較正電圧の各々について、数式は、ｙ＝ａ／（ｘ−ｂ）ｃ＋ｄであり得、式中、ｙは、較正電圧であり、ｘは、基準電流信号であり、ａ、ｂ、ｃ、及びｄは、それぞれの較正電圧と関連付けられた複数の較正点の解析によって判定された係数である。複数の較正電圧の各々についての数式の係数ａ、ｂ、及びｃの値は、それぞれ、複数の較正電圧のその他の較正電圧のそれぞれの数式についての係数ａ、ｂ、及びｃの値に等しいものであり得る。複数の較正電圧は、少なくとも３つの較正電圧を含み得る。電圧測定装置は、第１のセンサー部分及び第２のセンサー部分を含むセンサーアレイを含み得、第１のセンサー部分が、第２のセンサー部分とインターリーブされ、第１のセンサー部分及び第２のセンサー部分の各々は、制御可能なスイッチを介して信号電流増幅器及び基準電流増幅器に選択的に結合可能である。電圧測定装置は、複数のセンサー素子を含むセンサーアレイを含み得、センサー素子の各々は、処理回路の入力ノード及び導電ガードノードに選択的に結合可能である。
【手続補正４】
【補正対象書類名】明細書
【補正対象項目名】０００７
【補正方法】変更
【補正の内容】
【０００７】
電圧測定装置を較正するように動作する較正システムにおいて、電圧測定装置が、複数の電圧測定装置センサーを備えるとともに、電圧測定装置は、動作中に、少なくとも１つの基準電流信号を生成し、複数の電圧測定装置センサーを介して、試験中の導体内の少なくとも１つの基準電流信号を感知し、較正システムは、較正導体内に較正電圧を選択的に出力するように動作する較正電圧源と、較正電圧源及び電圧測定装置に通信可能に結合自在な制御回路と、を含むとして要約され得、制御回路は、動作中に、較正電圧源を制御して較正導体内に較正電圧を出力することと、較正電圧と関連付けられた複数の較正点を取得することであって、較正点の各々が、較正電圧源が較正導体内で較正電圧を出力するとき、複数の電圧測定装置センサーを介して、電圧測定装置によって測定される基準電流信号を示す、電圧測定装置から取得された複数の基準電流信号データ点と、複数の基準電流信号データ点に少なくとも部分的に基づいて電圧測定装置によって判定される、電圧測定装置から取得された測定された出力電圧データ点に対する較正電圧の比を示す較正係数と、を含む較正点を取得することと、電圧測定装置のための較正データであって、複数の電圧測定装置センサーを介して、電圧測定装置によって測定された基準電流信号に依存する較正データを複数の較正点に基づいて判定することと、電圧測定装置の以降の動作中の電圧測定装置による使用のために、電圧測定装置と関連付けられた少なくとも１つの非一時的プロセッサ可読記憶媒体上に較正データを記憶することと、を行う。
【手続補正５】
【補正対象書類名】明細書
【補正対象項目名】０００９
【補正方法】変更
【補正の内容】
【０００９】
電圧測定装置を較正するように較正システムを動作させる方法において、電圧測定装置は、動作中に、基準電流信号を生成し、電圧測定装置センサーを介して、試験中の導体内の基準電流信号を感知するが、その方法は、複数の較正電圧の各較正電圧について、較正電圧源を制御して較正導体内に較正電圧を出力することと、較正電圧と関連付けられた複数の較正点であって、較正点の各々が、較正電圧源が較正導体内に較正電圧を出力するとき、電圧測定装置センサーを介して、電圧測定装置によって測定される基準電流信号を示す、電圧測定装置から取得された基準電流信号データ点と、基準電流信号データ点に少なくとも部分的に基づいて電圧測定装置によって判定される、電圧測定装置から取得された測定された出力電圧データ点に対する較正電圧の比を示す較正係数と、を含む較正点を取得することと、電圧測定装置のための較正データであって、電圧測定装置によって測定された基準電流信号及び複数の較正電圧に依存する較正データを複数の較正点に基づいて判定することと、電圧測定装置の以降の動作中の電圧測定装置による使用のために、電圧測定装置と関連付けられた少なくとも１つの非一時的プロセッサ可読記憶媒体上に較正データを記憶することと、を含むとして要約され得る。
【手続補正６】
【補正対象書類名】明細書
【補正対象項目名】００１０
【補正方法】変更
【補正の内容】
【００１０】
較正データを判定することは、動作中に、電圧測定装置が、バイリニア補間を使用して特定の基準電流信号測定値及び特定の出力電圧測定値に対する較正係数を判定することを可能にする、ルックアップテーブルを生成することを含み得る。較正データを判定することは、複数の数式についての係数を判定することを含み得、複数の数式の各々は、複数の較正電圧のうちのそれぞれの較正電圧に対応している。較正データを判定することは、複数の較正電圧の各々について、複数の較正点を数式によって定義される曲線に適合させることを含み得る。
【手続補正７】
【補正対象書類名】明細書
【補正対象項目名】００１１
【補正方法】変更
【補正の内容】
【００１１】
複数の較正電圧が少なくとも３つの較正電圧を含み得、較正電圧源が制御されて少なくとも３つの較正電圧を出力することができる。電圧測定装置は、非接触測定装置であり得、複数の較正電圧の各々について、複数の較正点を取得することは、電圧測定装置の電圧測定装置センサーと較正導体との間の物理的距離を選択的に調整することを含み得る。